(57)【要約】      （修正有）【課題】回転可能な自撮り補光ライトを提供する。【解決手段】挟み筒１の中には貫通チャンバ３が設置され、挟み筒１の中には貫通チャンバ３を貫通している回転チャンバ１０が設置され、回転チャンバ１０の中には環状板５が設置され、環状板５の中には右端が外部空間に位置している環状ブロック４が設置され、貫通チャンバ３の上下端壁の中にはいずれも挟みチャンバ７が設置され、挟みチャンバ７の中には携帯電話をきつく挟める挟みブロック６が設置され、挟みチャンバ７の中には一端が外部空間に位置しており、且つ挟み筒１と螺旋により連結されるねじが設置され、回転チャンバ１０の右端壁の中には八つの位置制限機構１３が設置される。環状ブロック４の右端に支持機構４８が設置され、支持機構４８には回転軸３２により回字型ブロック３４が回転できるように連結され、回字型ブロック３４を貫通する補光ライト２６が設置される。【選択図】図１
2020177206.tif 000002
【特許請求の範囲】
【請求項１】
正面視で、挟み筒を含み、前記挟み筒の中には貫通チャンバが設置され、前記挟み筒の中にはまた前記貫通チャンバを貫通している回転チャンバが設置され、前記回転チャンバの中には環状板が設置され、前記環状板の中には右端が外部空間に位置している環状ブロックが設置され、前記貫通チャンバの上下端壁の中にはいずれも挟みチャンバが設置され、前記挟みチャンバの中には携帯電話をきつく挟める挟みブロックが設置され、前記挟みチャンバの中には一端が外部空間に位置しており、且つ前記挟み筒と螺旋により連結されるねじが設置され、前記回転チャンバの右端壁の中には八つの位置制限機構が設置され、前記回転チャンバの下端壁の中には制御機構が設置され、前記環状ブロックの右端には支持機構が設置され、前記位置制限機構はばね溝を含み、前記回転チャンバの右端壁には八つの収納チャンバが設置され、前記収納チャンバの右端壁には移動チャンバが設置され、前記環状板の中には環状チャンバが設置され、前記ばね溝の中には右端が前記収納チャンバの中に位置している台形ブロックが設置され、前記制御機構は回転溝を含み、前記回転溝の右端壁の中にはばねチャンバが設置され、前記ばねチャンバの上端壁には制御チャンバが設置され、前記制御チャンバの中には電源が設置され、前記支持機構は摩擦ブロックを含み、前記摩擦ブロックの右端面には二つの固定ブロックが設置され、前記摩擦ブロックの片側には補光ライトが設置されることを特徴とする回転可能な自撮り補光ライト。
【請求項２】
前記位置制限機構は前記環状板の中に設置される八つの前記ばね溝を含み、前記ばね溝の左端壁には前記台形ブロックと固定的に連結される伸縮ばねが設置され、前記収納チャンバには右端が前記移動チャンバの中に位置している収納ロッドが設置され、前記収納ロッドの右端には移動板が設置され、前記移動板の右端面には移動ロッドが設置され、前記移動チャンバにはスライド板が設置され、前記スライド板の右端面には二つの移動ばねが設置され、前記スライド板の右端面にはまた右端が外部空間に位置している支持ロッドが設置され、前記環状チャンバの中には環状電気磁石が設置され、前記環状チャンバの中にはまた一端が前記移動チャンバの中に位置している八つの円錐形ブロックが設置され、前記環状電気磁石と前記円錐形ブロックとの間には圧縮ばねが設置されることを特徴とする請求項１に記載の回転可能な自撮り補光ライト。
【請求項３】
前記制御機構は前記回転チャンバの下側に設置される前記回転溝を含み、前記制御チャンバの中にはスライド抵抗が設置され、前記スライド抵抗には下端が前記ばねチャンバの中に位置している通電ロッドが設置され、前記通電ロッドの上端と前記環状電気磁石との間及び、前記電源と前記スライド抵抗との間にはいずれも通電線が設置され、前記ばねチャンバの右端壁と前記通電ロッドとの間には絶縁ばねが設置され、前記通電ロッドの下端には左端が前記回転溝に位置しているプッシュロッドが設置され、前記回転溝の両側端壁の間には旋転軸が設置され、前記旋転軸には上端が前記環状板と噛合し、且つ下端が外部空間に位置している回転歯車が連結されることを特徴とする請求項１に記載の回転可能な自撮り補光ライト。
【請求項４】
前記支持機構はまた前記環状ブロックの右端の中に位置しており、且つ下方に開口したスライド溝を含み、前記スライド溝の中にはスライドブロックが設置され、前記スライドブロックの右端には前記スライド溝の右端壁と固定的に連結されるスライドばねが設置され、前記スライドブロックの下端には下端が外部空間に位置しているスライドロッドが設置され、前記スライドロッドの下端と前記摩擦ブロックとが摩擦するように連結され、二つの前記固定ブロックの間には回転軸が設置され、前記回転軸には回転ロッドが回転できるように連結され、前記回転ロッドの右端には回字型回字型ブロックが設置され、前記摩擦ブロックの右側には前記回字型ブロックを貫通する前記補光ライトが設置され、前記摩擦ブロックの左端には左方に開口した支持溝が設置されることを特徴とする請求項１に記載の回転可能な自撮り補光ライト。
【発明の詳細な説明】
【技術分野】
【０００１】
本発明は補光ライト分野を取り上げて、具体的には回転可能な自撮り補光ライトである。
【背景技術】
【０００２】
自撮り補光ライトはカメラライトや、ヘッドライトや、ニュースライトなどとも呼ばれ、その主な作用は、光が足りない場合に撮影するとき、補助の光を提供し、よい画面素材を取得し、自撮り補光ライトは既に輝度と、色温度とを調節し、電池残量を表示することなどのよい制御性能を持ち、しかし現在の補光ライトの取り付け位置が相対的に固定であり、位置を調節しにくく、それにより補光に影響を与え、また調節可能な補光ライトの大部分は体積が大きく、携帯しにくい。
【先行技術文献】
【特許文献】
【０００３】
【特許文献１】中国特許出願公開第105739220号明細書
【発明の概要】
【発明が解決しようとする課題】
【０００４】
本発明の目的は回転可能な自撮り補光ライトを提供し、それは上記の現在の技術中の問題を解決できる。
【課題を解決するための手段】
【０００５】
上記の課題を解決するため、本発明は以下の技術プランを採用する：本発明の回転可能な自撮り補光ライトは、挟み筒を含み、前記挟み筒の中には貫通チャンバが設置され、前記挟み筒の中にはまた前記貫通チャンバを貫通している回転チャンバが設置され、前記回転チャンバの中には環状板が設置され、前記環状板の中には右端が外部空間に位置している環状ブロックが設置され、前記貫通チャンバの上下端壁の中にはいずれも挟みチャンバが設置され、前記挟みチャンバの中には携帯電話をきつく挟める挟みブロックが設置され、前記挟みチャンバの中には一端が外部空間に位置しており、且つ前記挟み筒と螺旋により連結されるねじが設置され、前記回転チャンバの右端壁の中には八つの位置制限機構が設置され、前記回転チャンバの下端壁の中には制御機構が設置され、前記環状ブロックの右端には支持機構が設置され、前記位置制限機構はばね溝を含み、前記回転チャンバの右端壁には八つの収納チャンバが設置され、前記収納チャンバの右端壁には移動チャンバが設置され、前記環状板の中には環状チャンバが設置され、前記ばね溝の中には右端が前記収納チャンバの中に位置している台形ブロックが設置され、前記制御機構は回転溝を含み、前記回転溝の右端壁の中にはばねチャンバが設置され、前記ばねチャンバの上端壁には制御チャンバが設置され、前記制御チャンバの中には電源が設置され、前記支持機構は摩擦ブロックを含み、前記摩擦ブロックの右端面には二つの固定ブロックが設置され、前記摩擦ブロックの片側には補光ライトが設置される。
【０００６】
優選的には、前記位置制限機構は前記環状板の中に設置される八つの前記ばね溝を含み、前記ばね溝の左端壁には前記台形ブロックと固定的に連結される伸縮ばねが設置され、前記収納チャンバには右端が前記移動チャンバの中に位置している収納ロッドが設置され、前記収納ロッドの右端には移動板が設置され、前記移動板の右端面には移動ロッドが設置され、前記移動チャンバにはスライド板が設置され、前記スライド板の右端面には二つの移動ばねが設置され、前記スライド板の右端面にはまた右端が外部空間に位置している支持ロッドが設置され、前記環状チャンバの中には環状電気磁石が設置され、前記環状チャンバの中にはまた一端が前記移動チャンバの中に位置している八つの円錐形ブロックが設置され、前記環状電気磁石と前記円錐形ブロックとの間には圧縮ばねが設置される。
【０００７】
優選的には、前記制御機構は前記回転チャンバの下側に設置される前記回転溝を含み、前記制御チャンバの中にはスライド抵抗が設置され、前記スライド抵抗には下端が前記ばねチャンバの中に位置している通電ロッドが設置され、前記通電ロッドの上端と前記環状電気磁石との間及び、前記電源と前記スライド抵抗との間にはいずれも通電線が設置され、前記ばねチャンバの右端壁と前記通電ロッドとの間には絶縁ばねが設置され、前記通電ロッドの下端には左端が前記回転溝に位置しているプッシュロッドが設置され、前記回転溝の両側端壁の間には旋転軸が設置され、前記旋転軸には上端が前記環状板と噛合し、且つ下端が外部空間に位置している回転歯車が連結される。
【０００８】
優選的には、前記支持機構はまた前記環状ブロックの右端の中に位置しており、且つ下方に開口したスライド溝を含み、前記スライド溝の中にはスライドブロックが設置され、前記スライドブロックの右端には前記スライド溝の右端壁と固定的に連結されるスライドばねが設置され、前記スライドブロックの下端には下端が外部空間に位置しているスライドロッドが設置され、前記スライドロッドの下端と前記摩擦ブロックとが摩擦するように連結され、二つの前記固定ブロックの間には回転軸が設置され、前記回転軸には回転ロッドが回転できるように連結され、前記回転ロッドの右端には回字型回字型ブロックが設置され、前記摩擦ブロックの右側には前記回字型ブロックを貫通する前記補光ライトが設置され、前記摩擦ブロックの左端には左方に開口した支持溝が設置される。
【発明の効果】
【０００９】
本発明の有益的な効果は：本装置は構造が簡単で、操作が便利であり、本装置は補光ライトを使用するとき、ニーズによって補光ライトの各位置の角度を調節でき、補光ライトの位置角度要求を大いに満たし、補光ライトの適用範囲を改善し、また補光ライトの補光範囲を増加し、機械伝動を通して、装置の作業効率を大幅に高めた。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の回転可能な自撮り補光ライトの全体全断面の正面構造概略図
【図２】図２は本発明の回転可能な自撮り補光ライトの制御機構の全断面の正面拡大構造概略図
【図３】図３は本発明の回転可能な自撮り補光ライトの環状板の側視拡大構造概略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜３を参照し、本発明の回転可能な自撮り補光ライトは、挟み筒１を含み、前記挟み筒１の中には貫通チャンバ３が設置され、前記挟み筒１の中にはまた前記貫通チャンバ３を貫通している回転チャンバ１０が設置され、前記回転チャンバ１０の中には環状板５が設置され、前記環状板５の中には右端が外部空間に位置している環状ブロック４が設置され、前記貫通チャンバ３の上下端壁の中にはいずれも挟みチャンバ７が設置され、前記挟みチャンバ７の中には携帯電話をきつく挟める挟みブロック６が設置され、前記挟みチャンバ７の中には一端が外部空間に位置しており、且つ前記挟み筒１と螺旋により連結されるねじ８が設置され、前記回転チャンバ１０の右端壁の中には八つの位置制限機構１３が設置され、前記回転チャンバ１０の下端壁の中には制御機構３６が設置され、前記環状ブロック４の右端には支持機構４８が設置され、前記位置制限機構１３はばね溝１１を含み、前記回転チャンバ１０の右端壁には八つの収納チャンバ１４が設置され、前記収納チャンバ１４の右端壁には移動チャンバ２１が設置され、前記環状板５の中には環状チャンバ１９が設置され、前記ばね溝１１の中には右端が前記収納チャンバ１４の中に位置している台形ブロック１２が設置され、前記制御機構３６は回転溝３８を含み、前記回転溝３８の右端壁の中にはばねチャンバ４３が設置され、前記ばねチャンバ４３の上端壁には制御チャンバ４４が設置され、前記制御チャンバ４４の中には電源４０が設置され、前記支持機構４８は摩擦ブロック３１を含み、前記摩擦ブロック３１の右端面には二つの固定ブロック３５が設置され、前記摩擦ブロック３１の片側には補光ライト２６が設置される。
【００１４】
有益的には、前記位置制限機構１３は前記環状板５の中に設置される八つの前記ばね溝１１を含み、前記ばね溝１１の左端壁には前記台形ブロック１２と固定的に連結される伸縮ばね９が設置され、前記収納チャンバ１４には右端が前記移動チャンバ２１の中に位置している収納ロッド２０が設置され、前記収納ロッド２０の右端には移動板２５が設置され、前記移動板２５の右端面には移動ロッド２３が設置され、前記移動チャンバ２１にはスライド板１５が設置され、前記スライド板１５の右端面には二つの移動ばね２４が設置され、前記スライド板１５の右端面にはまた右端が外部空間に位置している支持ロッド２２が設置され、前記環状チャンバ１９の中には環状電気磁石１７が設置され、前記環状チャンバ１９の中にはまた一端が前記移動チャンバ２１の中に位置している八つの円錐形ブロック１６が設置され、前記環状電気磁石１７と前記円錐形ブロック１６との間には圧縮ばね１８が設置される。
【００１５】
有益的には、前記制御機構３６は前記回転チャンバ１０の下側に設置される前記回転溝３８を含み、前記制御チャンバ４４の中にはスライド抵抗４５が設置され、前記スライド抵抗４５には下端が前記ばねチャンバ４３の中に位置している通電ロッド４６が設置され、前記通電ロッド４６の上端と前記環状電気磁石１７との間及び、前記電源４０と前記スライド抵抗４５との間にはいずれも通電線４２が設置され、前記ばねチャンバ４３の右端壁と前記通電ロッド４６との間には絶縁ばね４７が設置され、前記通電ロッド４６の下端には左端が前記回転溝３８に位置しているプッシュロッド４１が設置され、前記回転溝３８の両側端壁の間には旋転軸３９が設置され、前記旋転軸３９には上端が前記環状板５と噛合し、且つ下端が外部空間に位置している回転歯車３７が連結される。
【００１６】
有益的には、前記支持機構４８はまた前記環状ブロック４の右端の中に位置しており、且つ下方に開口したスライド溝３８を含み、前記スライド溝３８の中にはスライドブロック２７が設置され、前記スライドブロック２７の右端には前記スライド溝３８の右端壁と固定的に連結されるスライドばね２９が設置され、前記スライドブロック２７の下端には下端が外部空間に位置しているスライドロッド３０が設置され、前記スライドロッド３０の下端と前記摩擦ブロック３１とが摩擦するように連結され、二つの前記固定ブロック３５の間には回転軸３２が設置され、前記回転軸３２には回転ロッド３３が回転できるように連結され、前記回転ロッド３３の右端には回字型回字型ブロック３４が設置され、前記摩擦ブロック３１の右側には前記回字型ブロック３４を貫通する前記補光ライト２６が設置され、前記摩擦ブロック３１の左端には左方に開口した支持溝２が設置される。
【００１７】
下記に、図１〜３と上記記述した本出願の回転可能な自撮り補光ライトの具体的な構成を参考し、本出願の回転可能な自撮り補光ライトの使用方法を詳しく紹介する：まず、初期状態では、前記移動ばね２４と前記絶縁ばね４７とが圧縮状態にあり、残りのばねは正常状態にある。
【００１８】
前記回転歯車３７を回し、それにより前記環状板５を回転連動させ、それにより前記環状ブロック４を回転連動させ、それにより前記支持機構４８を回転連動させ、それにより前記回字型ブロック３４の上下位置を調節でき、前記回転歯車３７をプッシュし移動させ、前記絶縁ばね４７と前記プッシュロッド４１との協働により前記通電ロッド４６を移動連動させ、それにより前記スライド抵抗４５が回路にアクセスする抵抗の大きさを変え、それにより前記環状電気磁石１７の磁性の大きさを変え、それにより前記スライド板１５の片側に向いて運動する変位を変え、前記支持ロッド２２の伝動により前記摩擦ブロック３１と、前記スライドロッド３０と前記スライドブロック２７とを移動連動させ、前記スライドばね２９が圧縮され、それにより前記補光ライト２６と前記環状ブロック４との間の距離を変える。
【００１９】
前記回字型ブロック３４を回すことにより前記補光ライト２６と前記環状ブロック４との間の角度を変えられ、前記回字型ブロック３４の上下位置を変えて前記補光ライト２６の前記環状ブロック４に対する位置を変えない場合、片側に前記回転歯車３７を移動させ、それにより前記プッシュロッド４１と前記通電ロッド４６とを運動連動させ、それにより前記環状電気磁石１７を通電させ、前記スライド板１５の位置を変えないようにさせ、このとき前記回転歯車３７を回転させ、それにより前記環状板５を回転連動させ、それにより要求動作を完成する。
【００２０】
本発明の有益的な効果は：本装置は構造が簡単で、操作が便利であり、本装置は補光ライトを使用するとき、ニーズによって補光ライトの各位置の角度を調節でき、補光ライトの位置角度要求を大いに満たし、補光ライトの適用範囲を改善し、また補光ライトの補光範囲を増加し、機械伝動を通して、装置の作業効率を大幅に高めた。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020177206.tif 000003
【図２】
2020177206.tif 000004
【図３】
2020177206.tif 000005
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
正面視で、挟み筒を含み、前記挟み筒の中には貫通チャンバが設置され、前記挟み筒の中にはまた前記貫通チャンバを貫通している回転チャンバが設置され、前記回転チャンバの中には環状板が設置され、前記環状板の中には右端が外部空間に位置している環状ブロックが設置され、前記貫通チャンバの上下端壁の中にはいずれも挟みチャンバが設置され、前記挟みチャンバの中には携帯電話をきつく挟める挟みブロックが設置され、前記挟みチャンバの中には一端が外部空間に位置しており、且つ前記挟み筒と螺旋により連結されるねじが設置され、前記回転チャンバの右端壁の中には八つの位置制限機構が設置され、前記回転チャンバの下端壁の中には制御機構が設置され、前記環状ブロックの右端には支持機構が設置され、前記位置制限機構はばね溝を含み、前記回転チャンバの右端壁には八つの収納チャンバが設置され、前記収納チャンバの右端壁には移動チャンバが設置され、前記挟み筒の中には環状チャンバが設置され、前記ばね溝の中には右端が前記収納チャンバの中に位置している台形ブロックが設置され、前記制御機構は回転溝を含み、前記回転溝の右端壁の中にはばねチャンバが設置され、前記ばねチャンバの上端壁には制御チャンバが設置され、前記制御チャンバの中には電源が設置され、前記支持機構は摩擦ブロックを含み、前記摩擦ブロックの片側端面には一つの固定ブロックが設置され、前記摩擦ブロックの片側には補光ライトが設置されることを特徴とする回転可能な自撮り補光ライト。
【請求項２】
前記位置制限機構は前記環状板の中に設置される八つの前記ばね溝を含み、前記ばね溝の左端壁には前記台形ブロックと固定的に連結される伸縮ばねが設置され、前記収納チャンバには右端が前記移動チャンバの中に位置している収納ロッドが設置され、前記収納ロッドの右端には移動板が設置され、前記移動板の右端面には移動ロッドが設置され、前記移動チャンバにはスライド板が設置され、前記スライド板の右端面には二つの移動ばねが設置され、前記スライド板の右端面にはまた右端が外部空間に位置している支持ロッドが設置され、前記環状チャンバの中には環状電気磁石が設置され、前記環状チャンバの中にはまた一端が前記移動チャンバの中に位置している八つの円錐形ブロックが設置され、前記環状電気磁石と前記円錐形ブロックとの間には圧縮ばねが設置されることを特徴とする請求項１に記載の回転可能な自撮り補光ライト。
【請求項３】
前記制御機構は前記回転チャンバの下側に設置される前記回転溝を含み、前記制御チャンバの中にはスライド抵抗が設置され、前記スライド抵抗には下端が前記ばねチャンバの中に位置している通電ロッドが設置され、前記通電ロッドの上端と前記環状電気磁石との間及び、前記電源と前記スライド抵抗との間にはいずれも通電線が設置され、前記ばねチャンバの右端壁と前記通電ロッドとの間には絶縁ばねが設置され、前記通電ロッドの下端には左端が前記回転溝に位置しているプッシュロッドが設置され、前記回転溝の両側端壁の間には旋転軸が設置され、前記旋転軸には上端が前記環状板と噛合し、且つ下端が外部空間に位置している回転歯車が連結されることを特徴とする請求項２に記載の回転可能な自撮り補光ライト。
【請求項４】
前記支持機構はまた前記環状ブロックの右端の中に位置しており、且つ下方に開口したスライド溝を含み、前記スライド溝の中にはスライドブロックが設置され、前記スライドブロックの右端には前記スライド溝の右端壁と固定的に連結されるスライドばねが設置され、前記スライドブロックの下端には下端が外部空間に位置しているスライドロッドが設置され、前記スライドロッドの下端と前記摩擦ブロックとが摩擦するように連結され、前記固定ブロックの前端面には回転軸が回転可能に連結され、前記回転軸には回転ロッドが回転できるように連結され、前記回転ロッドの右端には回字型ブロックが設置され、前記摩擦ブロックの右側には前記回字型ブロックを貫通する前記補光ライトが設置され、前記摩擦ブロックの左端には左方に開口した支持溝が設置されることを特徴とする請求項１に記載の回転可能な自撮り補光ライト。
【手続補正２】
【補正対象書類名】明細書
【補正対象項目名】全文
【補正方法】変更
【補正の内容】
【発明の詳細な説明】
【技術分野】
【０００１】
本発明は補光ライト分野を取り上げて、具体的には回転可能な自撮り補光ライトである。
【背景技術】
【０００２】
自撮り補光ライトはカメラライトや、ヘッドライトや、ニュースライトなどとも呼ばれ、その主な作用は、光が足りない場合に撮影するとき、補助の光を提供し、よい画面素材を取得し、自撮り補光ライトは既に輝度と、色温度とを調節し、電池残量を表示することなどのよい制御性能を持ち、しかし現在の補光ライトの取り付け位置が相対的に固定であり、位置を調節しにくく、それにより補光に影響を与え、また調節可能な補光ライトの大部分は体積が大きく、携帯しにくい。
【先行技術文献】
【特許文献】
【０００３】
【特許文献１】中国特許出願公開第105739220号明細書
【発明の概要】
【発明が解決しようとする課題】
【０００４】
本発明の目的は回転可能な自撮り補光ライトを提供し、それは上記の現在の技術中の問題を解決できる。
【課題を解決するための手段】
【０００５】
上記の課題を解決するため、本発明は以下の技術プランを採用する：本発明の回転可能な自撮り補光ライトは、挟み筒を含み、前記挟み筒の中には貫通チャンバが設置され、前記挟み筒の中にはまた前記貫通チャンバを貫通している回転チャンバが設置され、前記回転チャンバの中には環状板が設置され、前記環状板の中には右端が外部空間に位置している環状ブロックが設置され、前記貫通チャンバの上下端壁の中にはいずれも挟みチャンバが設置され、前記挟みチャンバの中には携帯電話をきつく挟める挟みブロックが設置され、前記挟みチャンバの中には一端が外部空間に位置しており、且つ前記挟み筒と螺旋により連結されるねじが設置され、前記回転チャンバの右端壁の中には八つの位置制限機構が設置され、前記回転チャンバの下端壁の中には制御機構が設置され、前記環状ブロックの右端には支持機構が設置され、前記位置制限機構はばね溝を含み、前記回転チャンバの右端壁には八つの収納チャンバが設置され、前記収納チャンバの右端壁には移動チャンバが設置され、前記挟み筒の中には環状チャンバが設置され、前記ばね溝の中には右端が前記収納チャンバの中に位置している台形ブロックが設置され、前記制御機構は回転溝を含み、前記回転溝の右端壁の中にはばねチャンバが設置され、前記ばねチャンバの上端壁には制御チャンバが設置され、前記制御チャンバの中には電源が設置され、前記支持機構は摩擦ブロックを含み、前記摩擦ブロックの片側端面には一つの固定ブロックが設置され、前記摩擦ブロックの片側には補光ライトが設置される。
【０００６】
優選的には、前記位置制限機構は前記環状板の中に設置される八つの前記ばね溝を含み、前記ばね溝の左端壁には前記台形ブロックと固定的に連結される伸縮ばねが設置され、前記収納チャンバには右端が前記移動チャンバの中に位置している収納ロッドが設置され、前記収納ロッドの右端には移動板が設置され、前記移動板の右端面には移動ロッドが設置され、前記移動チャンバにはスライド板が設置され、前記スライド板の右端面には二つの移動ばねが設置され、前記スライド板の右端面にはまた右端が外部空間に位置している支持ロッドが設置され、前記環状チャンバの中には環状電気磁石が設置され、前記環状チャンバの中にはまた一端が前記移動チャンバの中に位置している八つの円錐形ブロックが設置され、前記環状電気磁石と前記円錐形ブロックとの間には圧縮ばねが設置される。
【０００７】
優選的には、前記制御機構は前記回転チャンバの下側に設置される前記回転溝を含み、前記制御チャンバの中にはスライド抵抗が設置され、前記スライド抵抗には下端が前記ばねチャンバの中に位置している通電ロッドが設置され、前記通電ロッドの上端と前記環状電気磁石との間及び、前記電源と前記スライド抵抗との間にはいずれも通電線が設置され、前記ばねチャンバの右端壁と前記通電ロッドとの間には絶縁ばねが設置され、前記通電ロッドの下端には左端が前記回転溝に位置しているプッシュロッドが設置され、前記回転溝の両側端壁の間には旋転軸が設置され、前記旋転軸には上端が前記環状板と噛合し、且つ下端が外部空間に位置している回転歯車が連結される。
【０００８】
優選的には、前記支持機構はまた前記環状ブロックの右端の中に位置しており、且つ下方に開口したスライド溝を含み、前記スライド溝の中にはスライドブロックが設置され、前記スライドブロックの右端には前記スライド溝の右端壁と固定的に連結されるスライドばねが設置され、前記スライドブロックの下端には下端が外部空間に位置しているスライドロッドが設置され、前記スライドロッドの下端と前記摩擦ブロックとが摩擦するように連結され、前記固定ブロックの前端面には回転軸が回転可能に連結され、前記回転軸には回転ロッドが回転できるように連結され、前記回転ロッドの右端には回字型ブロックが設置され、前記摩擦ブロックの右側には前記回字型ブロックを貫通する前記補光ライトが設置され、前記摩擦ブロックの左端には左方に開口した支持溝が設置される。
【発明の効果】
【０００９】
本発明の有益的な効果は：本装置は構造が簡単で、操作が便利であり、本装置は補光ライトを使用するとき、ニーズによって補光ライトの各位置の角度を調節でき、補光ライトの位置角度要求を大いに満たし、補光ライトの適用範囲を改善し、また補光ライトの補光範囲を増加し、機械伝動を通して、装置の作業効率を大幅に高めた。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の回転可能な自撮り補光ライトの全体全断面の正面構造概略図
【図２】図２は本発明の回転可能な自撮り補光ライトの制御機構の全断面の正面拡大    構造概略図
【図３】図３は本発明の回転可能な自撮り補光ライトの環状板の側視拡大構造概略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜３を参照し、本発明の回転可能な自撮り補光ライトは、挟み筒１を含み、前記挟み筒１の中には貫通チャンバ３が設置され、前記挟み筒１の中にはまた前記貫通チャンバ３を貫通している回転チャンバ１０が設置され、前記回転チャンバ１０の中には環状板５が設置され、前記環状板５の中には右端が外部空間に位置している環状ブロック４が設置され、前記貫通チャンバ３の上下端壁の中にはいずれも挟みチャンバ７が設置され、前記挟みチャンバ７の中には携帯電話をきつく挟める挟みブロック６が設置され、前記挟みチャンバ７の中には一端が外部空間に位置しており、且つ前記挟み筒１と螺旋により連結されるねじ８が設置され、前記回転チャンバ１０の右端壁の中には八つの位置制限機構１３が設置され、前記回転チャンバ１０の下端壁の中には制御機構３６が設置され、前記環状ブロック４の右端には支持機構４８が設置され、前記位置制限機構１３はばね溝１１を含み、前記回転チャンバ１０の右端壁には八つの収納チャンバ１４が設置され、前記収納チャンバ１４の右端壁には移動チャンバ２１が設置され、前記挟み筒１の中には環状チャンバ１９が設置され、前記ばね溝１１の中には右端が前記収納チャンバ１４の中に位置している台形ブロック１２が設置され、前記制御機構３６は回転溝３８を含み、前記回転溝３８の右端壁の中にはばねチャンバ４３が設置され、前記ばねチャンバ４３の上端壁には制御チャンバ４４が設置され、前記制御チャンバ４４の中には電源４０が設置され、前記支持機構４８は摩擦ブロック３１を含み、前記摩擦ブロック３１の片側端面には一つの固定ブロック３５が設置され、前記摩擦ブロック３１の片側には補光ライト２６が設置される。
【００１４】
有益的には、前記位置制限機構１３は前記環状板５の中に設置される八つの前記ばね溝１１を含み、前記ばね溝１１の左端壁には前記台形ブロック１２と固定的に連結される伸縮ばね９が設置され、前記収納チャンバ１４には右端が前記移動チャンバ２１の中に位置している収納ロッド２０が設置され、前記収納ロッド２０の右端には移動板２５が設置され、前記移動板２５の右端面には移動ロッド２３が設置され、前記移動チャンバ２１にはスライド板１５が設置され、前記スライド板１５の右端面には二つの移動ばね２４が設置され、前記スライド板１５の右端面にはまた右端が外部空間に位置している支持ロッド２２が設置され、前記環状チャンバ１９の中には環状電気磁石１７が設置され、前記環状チャンバ１９の中にはまた一端が前記移動チャンバ２１の中に位置している八つの円錐形ブロック１６が設置され、前記環状電気磁石１７と前記円錐形ブロック１６との間には圧縮ばね１８が設置される。
【００１５】
有益的には、前記制御機構３６は前記回転チャンバ１０の下側に設置される前記回転溝３８を含み、前記制御チャンバ４４の中にはスライド抵抗４５が設置され、前記スライド抵抗４５には下端が前記ばねチャンバ４３の中に位置している通電ロッド４６が設置され、前記通電ロッド４６の上端と前記環状電気磁石１７との間及び、前記電源４０と前記スライド抵抗４５との間にはいずれも通電線４２が設置され、前記ばねチャンバ４３の右端壁と前記通電ロッド４６との間には絶縁ばね４７が設置され、前記通電ロッド４６の下端には左端が前記回転溝３８に位置しているプッシュロッド４１が設置され、前記回転溝３８の両側端壁の間には旋転軸３９が設置され、前記旋転軸３９には上端が前記環状板５と噛合し、且つ下端が外部空間に位置している回転歯車３７が連結される。
【００１６】
有益的には、前記支持機構４８はまた前記環状ブロック４の右端の中に位置しており、且つ下方に開口したスライド溝３８を含み、前記スライド溝３８の中にはスライドブロック２７が設置され、前記スライドブロック２７の右端には前記スライド溝３８の右端壁と固定的に連結されるスライドばね２９が設置され、前記スライドブロック２７の下端には下端が外部空間に位置しているスライドロッド３０が設置され、前記スライドロッド３０の下端と前記摩擦ブロック３１とが摩擦するように連結され、前記固定ブロック３５の前端面には回転軸３２が回転可能に連結され、前記回転軸３２には回転ロッド３３が回転できるように連結され、前記回転ロッド３３の右端には回字型ブロック３４が設置され、前記摩擦ブロック３１の右側には前記回字型ブロック３４を貫通する前記補光ライト２６が設置され、前記摩擦ブロック３１の左端には左方に開口した支持溝２が設置される。
【００１７】
下記に、図１〜３と上記記述した本出願の回転可能な自撮り補光ライトの具体的な構成を参考し、本出願の回転可能な自撮り補光ライトの使用方法を詳しく紹介する：まず、初期状態では、前記移動ばね２４と前記絶縁ばね４７とが圧縮状態にあり、残りのばねは正常状態にある。
【００１８】
前記回転歯車３７を回し、それにより前記環状板５を回転連動させ、それにより前記環状ブロック４を回転連動させ、それにより前記支持機構４８を回転連動させ、それにより前記回字型ブロック３４の上下位置を調節でき、前記回転歯車３７をプッシュし移動させ、前記絶縁ばね４７と前記プッシュロッド４１との協働により前記通電ロッド４６を移動連動させ、それにより前記スライド抵抗４５が回路にアクセスする抵抗の大きさを変え、それにより前記環状電気磁石１７の磁性の大きさを変え、それにより前記スライド板１５の片側に向いて運動する変位を変え、前記支持ロッド２２の伝動により前記摩擦ブロック３１と、前記スライドロッド３０と前記スライドブロック２７とを移動連動させ、前記スライドばね２９が圧縮され、それにより前記補光ライト２６と前記環状ブロック４との間の距離を変える。
【００１９】
前記回字型ブロック３４を回すことにより前記補光ライト２６と前記環状ブロック４との間の角度を変えられ、前記回字型ブロック３４の上下位置を変えて前記補光ライト２６の前記環状ブロック４に対する位置を変えない場合、片側に前記回転歯車３７を移動させ、それにより前記プッシュロッド４１と前記通電ロッド４６とを運動連動させ、それにより前記環状電気磁石１７を通電させ、前記スライド板１５の位置を変えないようにさせ、このとき前記回転歯車３７を回転させ、それにより前記環状板５を回転連動させ、それにより要求動作を完成する。
【００２０】
本発明の有益的な効果は：本装置は構造が簡単で、操作が便利であり、本装置は補光ライトを使用するとき、ニーズによって補光ライトの各位置の角度を調節でき、補光ライトの位置角度要求を大いに満たし、補光ライトの適用範囲を改善し、また補光ライトの補光範囲を増加し、機械伝動を通して、装置の作業効率を大幅に高めた。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。